(57)【特許請求の範囲】
【請求項１】
ケーシングの側面に凹設された凹部の底壁に開口が形成され、該開口に臨んで電気配線用端子を覆う開口カバーが配設され、
前記開口カバーは、カバー本体と、該カバー本体の上端に形成された係止片とから構成され、
前記係止片は、前記ケーシングの前記凹部の底壁と上側壁との境界部に形成された係合孔に係脱自在に係合されると共に、カバー本体に対してケーシングの外側方向に傾斜するよう角度を付けて設けられ、
前記カバー本体が自重により下方に移動すると、前記係止片のうちケーシングの内側を向く内側腹部が前記凹部の底壁に接触し、前記係止片のうちケーシングの外側を向く外側背部が係合孔の孔壁に摩擦接触し、前記開口カバーが斜め下向きの角度で係止されるようにして成ることを特徴とする開口カバー装置。
【請求項２】
請求項１に記載の開口カバー装置を備えた空気調和機であって、前記ケーシングが室外ユニットのケーシングであり、前記開口が電気配線用の開口であることを特徴とする空気調和機。
【発明の詳細な説明】
【技術分野】
【０００１】
本発明は、開口に設けられる開口カバー装置およびそれを備えた空気調和機に関するものである。
【背景技術】
【０００２】
例えば、空気調和機の室外ユニットとして、特許文献１には、防炎性能の向上と電装部品の冷却効率の向上を図る開口カバー装置が開示されている。この開口カバー装置は、ケーシングの側面に形成された開口を覆うように開口カバーが設けられる。この開口カバーは、固定部がネジによってケーシングに固定され、上端屈曲部が略直角をなして係止爪として機能する。そして、ケーシングの固定部がネジによってケーシングの外側面に固定されたとき、中央の段部及び平坦部によるバネ力によって、屈曲部の先端をケーシングの内側面に密着するようにしている。
【０００３】
また、特許文献２には、室外機の電装蓋の上縁に係止爪が突設され、この係止爪を天板の係合縁に引掛けることにより、電装蓋のビス止めと共に、天板をケーシングに一体的に固定することが開示されている。
【特許文献１】特開２００７−１４７１３４号公報
【特許文献２】実開平０３−１８４３４号公報
【発明の開示】
【発明が解決しようとする課題】
【０００４】
ところで、特許文献１、２に開示されたいずれの開口カバー（電装蓋）も、係止爪を開口の内側に挿入して、その開口の内側に形成された開口屈曲部に係合する形式となっているので、開口カバーの取り付けに際し、係止爪を一旦開口から内側に挿入して開口屈曲部に係止する必要があり、その挿入固定作業が煩雑となる。
【０００５】
また、特許文献１では、下部のネジを取り外すと、屈曲部が、段部および平坦部のバネの復元力により開口屈曲部から外れ、開口カバーが落下して、工事中に紛失するおそれもある。そのため、簡単な機構で開口カバーを付けたまま作業ができる開口カバー装置の出現が望まれている。
【０００６】
本発明は、上記に鑑み、簡単な機構で開口カバーの落下を防止し得る開口カバー装置及びそれを備えた空気調和機の提供を目的としている。
【課題を解決するための手段】
【０００７】
上記目的を達成するため、本発明に係る開口カバー装置は、ケーシングの側面に凹設された凹部の底壁に開口が形成され、該開口に臨んで電気配線用端子を覆う開口カバーが配設され、前記開口カバーは、カバー本体と、該カバー本体の上端に形成された係止片とから構成され、前記係止片は、前記ケーシングの前記凹部の底壁と上側壁との境界部に形成された係合孔に係脱自在に係合されると共に、カバー本体に対してケーシングの外側方向に傾斜するよう角度を付けて設けられ、前記カバー本体が自重により下方に移動すると、前記係止片のうちケーシングの内側を向く内側腹部が前記凹部の底壁に接触し、前記係止片のうちケーシングの外側を向く外側背部が係合孔の孔壁に摩擦接触し、前記開口カバーが斜め下向きの角度で係止されるようにして成ることを特徴とする。  
上記構成によると、カバー本体が自重により下方に移動すると開口カバーが斜め下向きの角度で止まるので、開口カバーを外さずとも開口を覗くことができる。そのため、開口カバーを外さずに配線作業を行うこともできる。なお、作業中に、開口カバーを係合孔に取り付けたままにしておけば、開口カバーを紛失する可能性も低減できる。また、開口カバーが斜め下向きの角度で止まるので、開口カバーを外すときや開口カバー内を点検するとき開口カバーを掴みやすく、垂直なままで引っかかる場合に比べて、掴み損ねて、開口カバーを落としてしまう可能性を低減できる。
【０００８】
また、係止片をカバー本体に対して外側に傾斜するように角度を付けて設けておけば、開口カバーの装着時には、係止片を開口の上方に形成された係合孔に外側斜め上方に向けて差込み係合することができる。
【０００９】
この状態で開口カバーから手を離すか、あるいは、装着後のカバー本体に対して、下部の固定部を取り外すと、係止片は、カバー本体の自重により下方に移動しながら係合孔から抜け出そうとするが、係止片の内側腹部及び／又は外側背部が前記係合孔の孔壁およびその周縁部に摩擦接触するので、係止片の係合孔からの抜け出しを阻止することができる。
【００１０】
このように、係止片の係合孔への係合は、ケーシングの外側から係止片を係合孔に差込みだけで簡単に行うことができ、また、カバー本体に対して係止片の角度をわずかに変化させただけで、係止片の係合孔からの抜け出しを防止することができる。
【００１２】
また、カバー本体をケーシングに固定するために固定部を設けるが、この固定部として、カバー本体の下部を固定するビスを用いてもよい。このビスを取り外すと、カバー本体の係止片は、カバー本体の自重により係合孔から抜け出ようとするが、角度を付けた係止片の腹部及び／又は背部が係合孔の孔壁や周壁に接触して、その摩擦抵抗により係止片が係合孔から抜け出るのを防止することができる。
【００１３】
このような開口カバー装置は、種々の開口部を有する機器に適用することができるが、特に、現場での設置作業時に開閉することが多い空気調和機の室外機に適用すれば有効である。
【００１４】
例えば、上記開口カバー装置を備えた空気調和機であって、ケーシングが室外機のケーシングであり、開口が電気配線用の開口である場合に有効である。この場合、室外機を開口カバー装置を取り付けた状態で設置場所まで搬送し、その後、電気配線工事を行うときに、開口カバーのネジを取り外し、開口カバーの隙間から電気配線を行うとき、係止片により開口カバーがケーシングに取り付けられた状態となるので、開口カバーを紛失するおそれがない。
【発明の効果】
【００１５】
本発明によると、カバー本体が自重により下方に移動すると開口カバーが斜め下向きの角度で係止されるので、簡単な機構により、係止片の係合孔からの抜け出しを防止することができると共に、開口カバーを外さずとも開口を覗くことができ、開口カバーを外さずに配線作業を行うこともできる。
【発明を実施するための最良の形態】
【００１６】
図１は本発明に係る開口カバー装置を適用した空気調和機の室外ユニットを正面側からみた斜視図、図２は同じく室外ユニットの天板及び背面板を取り外した状態で背面側からみた斜視図、図３は室外ユニットのケーシングの側面板を示す側面図、図４は開口カバーの閉状態を示すもので、図３のＡ−Ａ断面図、図５は開口カバーの要部拡大断面図である。図６は開口カバーの開放状態を示す断面図、図７は図６の要部拡大断面図である。
【００１７】
室外ユニット１は、ケーシング２内に室外熱交換器３、送風ファン４及び圧縮機（図示略）が収容される。ケーシング２の上部には電装箱５が内装され、この電装箱５には、送風ファン４や圧縮機等に電力を供給する電源回路や、送風ファン４や圧縮機の動作を制御する制御回路等の電装部品が内装される。電装部品には端子６が設けられ、この端子６に室内ユニット（図示略）に接続された電気配線７が接続される。この電気配線７により、室内ユニットから電力の供給が行われ、また、室内ユニットと室外ユニット１との間で通信が行われる。
【００１８】
ケーシング２の側面には電装部品の端子６に近接して開口１０が形成され、この開口１０を覆う開口カバー１１が設けられる。また、ケーシング２の側面のうち前側部分には、図１に示すように、開口カバー１１の上部を除いて高さ方向の略全部を覆うように、樹脂製の縦長の外カバー１２が取り付けられている。外カバー１２には、開口カバー１１の下部、電気配線７の一部が収容されている。外カバー１２の下部側面には、図２に示すように、室内ユニット側に冷媒配管および電気配線を導出するための導出口１３が形成される。
【００１９】
図５に示すように、ケーシング２の側面に段差２ａを有して凹部１４が形成され、この凹部の底壁１５に四角形状の前記開口１０が形成される。開口１０の周縁にはフランジ１０ａが折り曲げ形成され、開口１０が補強されている。この開口１０よりも外側で前記凹部１４の底壁１５と上側壁１６との境界部には係合孔１７が形成される。
【００２０】
係合孔１７は、境界部において側面視でＬ字形に切欠形成される。係合孔１７は、横長のスリット状で、その左右幅ｄ１および上下幅ｄ２は、後述する係止片２５の板厚よりも大きく形成され、後述するように、係止片２５が外側方向に角度を付けて斜めに傾斜している場合、係止片２５の腹部２５ａと背部２５ｂの先端とでなす左右幅Ｓ１よりも小さく形成され、係止片２５の抜け止めが可能な大きさで、かつ係止片２５を斜め下方から斜め上方向に差込みできる程度の大きさに設定される。
【００２１】
開口カバー１１は、カバー本体１８と、このカバー本体の上端に形成された係止片２５とから構成される。カバー本体１８は、樹脂製あるいは金属製のいずれであってもよい。このカバー本体１８は、平板状に形成され、その周囲には内側（以下の説明において、内側とは室外ユニット１の内側方向を意味し、外側とは、室外ユニット１の外側方向を指す。例えば、図５及び図７においては、紙面左側が内側、紙面右側が外側となる。）に向かってフランジ１９が折り曲げ形成される。カバー本体１８は、ケーシング２の凹部１４に嵌り込む大きさに設定される。カバー本体１８の中央部は、外側に膨出した膨出部２０を有し、この膨出部の下部に連続して膨出状の配線通路部２１が形成される。配線通路部２１の下方は開放され、電気配線７を下方に導くことができるようになっている。配線通路部２０の両側の固定部には、ビス孔が形成され、このビス孔にビス２２を螺合することにより、カバー本体１８がケーシング２の側面に固定される。
【００２２】
前記係止片２５は、カバー本体１８の平板部１８ａの上縁フランジ１９から上方に折り曲げ形成され、上方に向かって突出される。係止片２５の前後幅は、カバー本体１８の平板部１８ａの前後幅Ｓ２よりも短く形成され、係合孔１７に係脱自在に係合される。
【００２３】
また、係止片２５は、カバー本体１８の平板部１８ａの内端から外側に傾斜するように角度を付けて設けられる。係止片２５の傾斜角度は、特に限定されるものではなく、係止片２５の突出長さ、係合孔１７のスリット幅との関係で特定される。つまり、係止片２５の傾斜角度は、次の機能を達成できる角度であればよい。すなわち、係止片２５の傾斜角度は、カバー本体１８の自重により、係止片２５が係合孔１７から抜け出そうとするとき、係止片２５の内側腹部２５ａ及び外側背部２５ｂが前記係合孔１７の孔壁１７ａ（上側壁１６側の孔壁１７ａ（図７参照））およびその周縁部（底壁１５）に接触し、その摩擦抵抗により係止片２５の係合孔１７から抜け出すのを阻止できる角度であればよい。なお、本実施の形態では、外側背部２５ｂが前記係合孔１７の孔壁１７ａに接触し、内側腹部２５ａがその周縁部（底壁１５）に接触している。
【００２４】
上記構成において、ケーシング２の側面開口１０に開口カバー１１を取り付けるには、開口カバー１１の上端にある係止片２５を開口１０の上方にある係合孔１７に係合する。このとき、係止片２５は、カバー本体１８に対して外側に折り曲げて斜め上方に角度を付けて設けられているため、係止片２５を係合孔１７に対して斜め下方から斜め上方に向かって差込み係合する。係止片２５を係合孔１７に差込み係合した後は、カバー本体１８の下部に位置する固定部をケーシング２の側面にビス止めして開口カバー１１をケーシング２の開口１０に固定する。
【００２５】
室外ユニット１の設置場所での配線作業では、開口カバー１１のビス２２を外して内部の電装箱５の端子６に電気配線７を接続し、電気配線７は開口１０から引き出して下方の導出口１３から冷媒配管と並設しながら室内ユニットに導く。
【００２６】
このような配線作業時に、開口カバー１１のビス２２を取り外した場合、開口カバー１１は、上端の係止片２５が係合孔１７により係合しているだけなので、カバー本体の自重により係止片２５が係合孔１７から下方に移動し抜け出そうとするが、開口カバー１１の自重による落下力（下方に移動する力）の分力のうち、開口カバー１１を凹部１４の底壁１５に押し付けようとする成分ｆ１が作用し、係止片２５の内側腹部２５ａを中心として内向きのモーメントが作用する。
【００２７】
また、係止片２５の腹部２５ａとは反対側にある背部２５ｂには、上記成分ｆ１とは逆向きの力が生じ、これにより係止片２５の背部２５ｂが係合孔１７の孔壁１７ａに押し付けられ、その摩擦抵抗により係止片２５が係合孔１７から抜け出すのを阻止できる。よって、開口カバー１１が脱落するのを阻止することができる。
【００２８】
また、開口カバー１１が斜め下向きの角度で止まるので、開口カバー１１を外さずとも開口１０を覗くことができるので、開口カバー１１を外さずに配線作業を行うこともできる。また、開口カバー１１が斜め下向きの角度で止まるので、開口カバーを掴みやすく、垂直なままで引っかかる場合に比べて、掴み損ねて、開口カバー１１を落としてしまう可能性を低減できる。なお、作業中に、開口カバー１１を係合孔１７に取り付けたままにしておけば、開口カバー１１を紛失する可能性も低減できる。
【００２９】
このように、係止片２５の係合孔１７への係合は、ケーシング２の外側から係止片２５を係合孔１７に差込むだけで簡単に行うことができ、また、カバー本体１８に対して係止片２５の角度をわずかに変化させただけで、係止片２５の係合孔１７からの抜け出しを防止でき、作業中に開口カバー１１を外す必要がなく、また、開口カバー１１が紛失するおそれもない。
【００３０】
なお、本発明は、上記実施形態に限定されるものではなく、本発明の範囲内で多くの修正・変更を加えることができるのは勿論である。例えば、上記実施形態においては、係合孔１７は、境界部において側面視で、底壁１５と上側壁１６とを切欠いて境界部にＬ字形に形成されているが、一字形に係合孔１７を形成してもよく（この場合、例えば、上側壁１６のみを切り欠く、あるいは、上側壁１６と底壁１５の上側壁１６の厚さ分を切欠くことで一字形に形成できる）、その位置は、上側壁１６と底壁１５との境界部やその近傍であってもよいし、離れていてもよいが、底壁１５と孔壁１７ａとの水平距離は、係止片２５の腹部２５ａと背部２５ｂの先端とでなす左右幅Ｓ１よりも小さくする必要がある。
【００３１】
また、上記実施形態では、外側方向に傾いた係止片について説明したが、内方向に傾いた係止片であってもよく、要するに、係止片をカバー本体に対して角度を付けて設けることにより係合孔からの抜け出しが防止できる種々の構造を採用することができる。また、上記実施形態では、空気調和機などの室外ユニットの開口カバーについて説明したが、種々の電気機器の開口カバーに適用できることは勿論である。特に、開口カバーを工場での組み立て時に予め取り付けておき、設置場所で開口カバーの開閉作業を行なう必要がある機器ならば、その種類を問わない。
【図面の簡単な説明】
【００３２】
【図１】本発明の実施形態である空気調和機の室外ユニットを正面側からみた斜視図
【図２】室外ユニットの天板及び背面板を取り外した状態で背面側からみた斜視図
【図３】室外ユニットのケーシングの側面板を示す側面図
【図４】開口カバーの閉状態を示すもので、図３のＡ−Ａ断面図
【図５】開口カバーの要部拡大断面図
【図６】開口カバーの開放状態を示す断面図
【図７】図６の要部拡大断面図
【符号の説明】
【００３３】
１    室外ユニット
２    ケーシング
３    室外熱交換器
４    送風ファン
５    電装箱
６    端子
７    電気配線
１０    開口
１１    開口カバー
１２    外カバー
１３    導出口
１４    凹部
１５    底壁
１６    上側壁
１７    係合孔
１７ａ  孔壁
１８    カバー本体
１９    フランジ
２０    膨出部
２１    配線通路部
２２    ビス
２５    係止片
【図１】
0004435823.tif 000002
【図２】
0004435823.tif 000003
【図３】
0004435823.tif 000004
【図４】
0004435823.tif 000005
【図５】
0004435823.tif 000006
【図６】
0004435823.tif 000007
【図７】
0004435823.tif 000008